(57)【要約】【課題】二重床の高さ対応幅をより大きく確保することができ、また過荷重時の床材の過剰な沈みの防止かつ弾性防振材のへたりの防止を実現するとともに防振防音性能を高く維持することのできる、新しい二重床の支持脚を提供する。【解決手段】スラブ（１）と床材（２）との間に床下空間を形成する二重床の支持脚であって、外周面にネジが螺刻されたネジ脚部（３）と、ネジ脚部（３）が螺入されるネジ孔部（４１）を有する受座部（４）と、受座部（４）のネジ孔部（４１）に螺入されたネジ脚部（３）が受座部（４）上方へ突き抜け可能な挿通空間（５１）を設けて当該受座部（４）上に配設された弾性防振材（５）と、弾性防振材（５）上に設けられた床受け材（６）とを備えている。【選択図】  図１
2004162513.tif 000002
【特許請求の範囲】
【請求項１】
スラブと床材との間に床下空間を形成する二重床の支持脚であって、
外周面にネジが螺刻されたネジ脚部と、
ネジ脚部が螺入されるネジ孔部を有する受座部と、
受座部のネジ孔部に螺入されたネジ脚部が受座部上方へ突き抜け可能な挿通空間を設けて当該受座部上に配設された弾性防振材と、
弾性防振材上に設けられた床受け材と、
を備えていることを特徴とする二重床の支持脚。
【請求項２】
床受け材は、受座部のネジ孔部から受座部上方へ挿通空間を通って突き抜けたネジ脚部が挿通可能な孔を有していることを特徴とする請求項１記載の二重床の支持脚。
【請求項３】
床受け材上に載置される床材に設けられた孔に、床受け材の孔から突き抜けたネジ脚部が挿通可能とされていることを特徴とする請求項２記載の二重床の支持脚。
【請求項４】
床受け材上に載置される根太に設けられた孔に、床受け材の孔から突き抜けたネジ脚部が挿通可能とされていることを特徴とする請求項２記載の二重床の支持脚。
【請求項５】
床受け材は、それに載置される根太が嵌入可能な溝をその中央部に有していることを特徴とする請求項２または４記載の二重床の支持脚。
【請求項６】
荷重時に床受け材下面に接触することで床材の最大沈み量を制限する沈み防止用突起部を受座部上にさらに備えていることを特徴とする請求項１ないし５のいずれかに記載の二重床の支持脚。
【請求項７】
沈み防止用突起部は、受座部のネジ孔部から突き抜けたネジ脚部が挿通可能とされていることを特徴とする請求項６記載の二重床の支持脚。
【請求項８】
沈み防止用突起部は、受座部のネジ孔部から突き抜けたネジ脚部が挿通可能な孔を有していることを特徴とする請求項７記載の二重床の支持脚。
【請求項９】
受座部のネジ孔部は、受座部上に突出してその突出上端が荷重時に床受け材下面に接触することで床材の最大沈み量を制限する沈み防止用突起部としても機能することを特徴とする請求項１ないし５のいずれかに記載の二重床の支持脚。
【発明の詳細な説明】
【０００１】
【発明の属する技術分野】
この出願の発明は、二重床の支持脚に関するものである。さらに詳しくは、この出願の発明は、二重床の高さ対応幅をより大きく確保することができ、また過荷重時の床材の過剰な沈みの防止かつ弾性防振材のへたりの防止を実現するとともに防振防音性能を高く維持することのできる、新しい二重床の支持脚に関するものである。
【０００２】
【従来の技術】
従来、住宅やオフィス等の床には、床下にて配管や配線を行えるようにした二重床がしばしば採用されている。
【０００３】
この二重床については、スラブ上に脚部の安定した立設状態を保持するための台座部を固着し、当該台座部に脚部を立設し、当該脚部上端に弾性防振材の容易且つ確実な支持のための受座部を取り付け、当該受座部上に防振ゴム等の弾性防振材を配設し、そして当該弾性防振材上に床受け材を設け、その上に床材を載置して二重床を構築するようにした支持脚が知られており、さらには脚部を、中空の脚部本体とその内部を上下にスライド可能な伸縮部との二部材構成によって高さ調整可能なものとすることも知られている（特許文献１参照）。
【０００４】
また、床材に過荷重がかかった場合に床材の過剰な沈みを防止させるとともに弾性防振材のへたりをも防止させる構造を支持脚に付与することも既に提案されている（特許文献２参照）。
【０００５】
【特許文献１】
特開２００１−２０７６２８号公報
【特許文献２】
特願２００２−４６６６５号
【０００６】
【発明が解決しようとする課題】
しかしながら、上記特許文献１に記載の支持脚については、たとえば図１２にも例示したように、高さ調整可能とされた脚部（ア）の調整範囲が脚部本体（イ）内での伸縮部（ウ）の可動範囲のみで決まってしまうために、高さ対応幅が狭く、様々に要求される二重床の高さに対し支持脚の品種を増やす必要がある。
【０００７】
また、上記特許文献２に記載の支持脚については、たとえば図１３にも例示したように、過荷重時の床材（エ）に加わる衝撃が、床受け材（オ）および弾性防振材（カ）を収納する枠体（キ）上部のフランジ片（ク）つまり過荷重時に床材（エ）裏面と接触するフランジ片（ク）から、弾性防振材（カ）を介さずに直接脚部（ア）に伝搬してしまうため、防振防音効果が減少するという不都合が考えられる。
【０００８】
この出願の発明は、以上のとおりの事情に鑑みてなされたものであり、従来技術の問題点を解消し、二重床の高さ対応幅をより大きく確保することができ、また過荷重時の床材の過剰な沈みの防止かつ弾性防振材のへたりの防止を実現するとともに防振防音性能を高く維持することのできる、新しい二重床の支持脚を提供することを課題としている。
【０００９】
【課題を解決するための手段】
この出願の発明は、上記の課題を解決するものとして、第１には、スラブと床材との間に床下空間を形成する二重床の支持脚であって、外周面にネジが螺刻されたネジ脚部と、ネジ脚部が螺入されるネジ孔部を有する受座部と、受座部のネジ孔部に螺入されたネジ脚部が受座部上方へ突き抜け可能な挿通空間を設けて当該受座部上に配設された弾性防振材と、弾性防振材上に設けられた床受け材とを備えていることを特徴とする二重床の支持脚を提供する。
【００１０】
またこの出願の発明は、第２には、前記床受け材が、受座部のネジ孔部から受座部上方へ挿通空間を通って突き抜けたネジ脚部が挿通可能な孔を有していることを特徴とする二重床の支持脚、第３には、前記床受け材上に載置される床材に設けられた孔に、床受け材の孔から突き抜けたネジ脚部が挿通可能とされていることを特徴とする二重床の支持脚、第４には、前記床受け材上に載置される根太に設けられた孔に、床受け材の孔から突き抜けたネジ脚部が挿通可能とされていることを特徴とする二重床の支持脚、第５には、前記床受け材は、それに載置される根太が嵌入可能な溝をその中央部に有していることを特徴とする二重床の支持脚を提供する。
【００１１】
またさらにこの出願の発明は、第６には、荷重時に前記床受け材下面に接触することで床材の最大沈み量を制限する沈み防止用突起部を受座部上にさらに備えていることを特徴とする二重床の支持脚、第７には、前記沈み防止用突起部が、受座部のネジ孔部から突き抜けたネジ脚部が挿通可能とされていることを特徴とする二重床の支持脚、第８には、前記沈み防止用突起部が、受座部のネジ孔部から突き抜けたネジ脚部が挿通可能な孔を有していることを特徴とする二重床の支持脚、そして第９には、前記受座部のネジ孔部が、受座部上に突出してその突出上端が荷重時に床受け材下面に接触することで床材の最大沈み量を制限する沈み防止用突起部としても機能することを特徴とする二重床の支持脚を提供する。
【００１２】
【発明の実施の形態】
［実施形態１］
上記のとおりの特徴を有するこの出願の発明によれば、たとえば図１（ａ）（ｂ）に例示したように、スラブ（１）と床材（２）との間に床下空間を形成する二重床の支持脚を、外周面にネジが螺刻されたネジ脚部（３）と、このネジ脚部（３）が螺入されるネジ孔部（４１）を有する受座部（４）と、受座部（４）のネジ孔部（４１）に螺入されたネジ脚部（３）が受座部（４）の上方へ突き抜け可能な挿通空間（５１）を設けて当該受座部（４）上に配設された弾性防振材（５）と、この弾性防振材（５）上に設けられた床受け材（６）とを備えたものとすることで、ネジ脚部（３）の高さ調整範囲をより大きく確保でき、二重床の高さに対してより幅広く対応可能な支持脚を実現することができる。
【００１３】
より具体的には、図１（ａ）（ｂ）の実施形態では、まずネジ脚部（３）は、スラブ（１）上に接着剤で固着される台座部（７）に立設されており、その略全外周面には雄ネジが螺刻されている。
【００１４】
受座部（４）は、略中央に開口（４２１）を有する受座板部（４２）と、受座板部（４２）の開口（４２１）と連通して垂下した、ネジ脚部（３）が螺入される雌ネジを内壁に有する筒状のネジ孔部（４１）とを有している。
【００１５】
弾性防振材（５）は、受座部（４）の受座板部（４２）上にて、略中央の開口（４２１）上の空間を塞がないように配設されており、この空間がネジ脚部（３）が挿通可能な挿通空間（５１）とされている。
【００１６】
床受け材（６）は、弾性防振材（５）上にて、床材（２）を受ける台となるように取り付けられている。
【００１７】
そしてネジ脚部（３）は、受座部（４）のネジ孔部（４１）内へその下端開口から螺入されて受座部（４）と一体化され、ネジ孔部（４１）上端開口から受座板部（４２）の開口（４２１）を突き抜け挿通空間（５１）を通って床受け材（６）の下面まで到達可能とされており、高さ調整は、受座部（４）自体が弾性防振材（５）および床受け材（６）とともに、ネジ脚部（３）に対して上下動することで行われる。
【００１８】
これにより、高さ調整範囲は、上記特許文献１および図１２に記載の従来の支持脚と比べて、弾性防振材（５）により確保された受座部（４）の受座板部（４２）から床受け材（６）下面までの挿通空間（５１）分、大きくなっており、支持脚の品種を従来よりも少なくすることができる。
【００１９】
［実施形態２］
また、この出願の発明によれば、さらに大きな高さ調整範囲を得るべく、たとえば図２（ａ）（ｂ）および図３に例示したように、床受け材（６）にも、受座部（４）のネジ孔部（４１）から受座板部（４２）上方へ開口（４２１）および挿通空間（５１）を通って突き抜けたネジ脚部（３）が挿通可能な孔（６１）を設けることで、さらにはこの床受け材（６）上に載置される床材（２）に設けられた孔（２３）に、床受け材（６）の孔（６１）から突き抜けたネジ脚部（３）を挿通可能なものとすることで、床受け材（６）の孔（６１）の高さ分、さらには床材（２）の孔（２３）の高さ分の拡大を実現することができる。
【００２０】
すなわち、受座部（４）のネジ孔部（４１）から、受座板部（４２）の開口（４２１）、弾性防振材（５）による受座板部（４２）上の挿通空間（５１）、床受け材（６）の孔（６１）、さらに床材（２）の孔（２３）へと連通した可動空間が形成され、最大限に拡大された高さ調整範囲が実現されているのである。このため支持脚の品種がさらに少なくて済む。
【００２１】
なお、床材（２）は一般に床受け材（６）上に載置される床下地材（２１）およびその上の床仕上げ材（２２）からなり、床下地材（２１）まで孔（２３）を形成することが許容される。
【００２２】
［実施形態３］
また、この出願の発明によれば、上記構成に加えて、たとえば図４および図５に例示したように、床受け材（６）上に根太（９）を設ける場合を考慮し、その場合においても高さ調整範囲を大きく確保できるようにすべく、根太（９）に孔（９１）を設けておき、この孔（９１）に対して床受け材（６）の孔（６１）から突き抜けたネジ脚部（３）を挿通可能なものとしてもよい。
【００２３】
これによれば、たとえば支持脚を壁際に設けたり、敷居等を設けたりする際に補強対策などとして支持脚間に根太（９）を懸架する場合であっても（図５では壁際の支持脚上にのみ補強用の根太（９）を配置している）、その根太（９）の厚み分、より具体的には根太（９）の孔（９１）の高さ分の調整範囲を確保できるので、支持脚全体の高さ寸法を低く抑える必要もなく、床の仕上げ高さが低くなっても対応し易くなるのである。
【００２４】
もちろん、根太（９）の上に載置される床材（２）に対して前述の図２に例示したように孔（２３）を設け、それへネジ脚部（３）をさらに挿通可能な構成としてもよいことは言うまでもない。
【００２５】
［実施形態４］
また、この出願の発明によれば、上記構成に加えて、たとえば図６〜図８に例示したように、床受け材（６）上に載置される根太（９）が嵌入可能な溝（６２）を、床受け材（６）の中央部に設けてもよく、これによれば、根太（９）の厚みを薄くできるとともに、溝（６２）の両端には通常どおり床材（２）を載置できるようになる。
【００２６】
より具体的には、図６〜図８では、床受け材（６）に上方に開口した十字状の溝（６２）が形成されており、隣り合う床受け材（６）間に根太（９）を懸架させる際にそれぞれの溝（６２）に上方から嵌め込むようになっている。これにより、溝（６２）の深さ分、支持脚の高さ寸法を低くする必要がなくなり、床の仕上げ高さが低くなっても対応し易くなるのである。この場合も、前記実施形態３と同様に、たとえば支持脚を壁際に設ける際に壁際の支持脚間にのみ根太（９）を懸架させるとしても（図７参照）、根太（９）を設けない支持脚側との差を溝（６２）で十分に吸収でき、容易に高さ調整が可能となる。
【００２７】
もちろん、根太（９）にネジ脚部（３）が挿入可能な孔（９１）を設けておいてもよく（図６参照）、この場合には、床受け材（６）の孔（６１）（図８参照）と溝（６２）に嵌入される根太（９）の孔（９１）とは同一直線上に位置するものとする。
【００２８】
なお、図８では、このような床受け材（６）と受座部（４）の受座板部（４２）との間に配設される弾性防振材（５）の取り付けのために、床受け材（６）の下面には弾性防振材（５）の上部が嵌め込まれる取付孔（６３）、受座板部（４２）の上面には弾性防振材（５）の下部が嵌め込まれる取付孔（４２２）が設けられている。
【００２９】
［実施形態５］
またさらに、この出願の発明によれば、上記構成に加えて、たとえば図９（ａ）（ｂ）に例示したように、荷重時に床受け材（６）下面に接触することで床材（２）の最大沈み量を制限する沈み防止用突起部（８）を、受座部（４）上に設けることで、過荷重時の床材（２）の過剰な沈みの防止かつ弾性防振材（５）のへたりの防止を実現するとともに、防振防音性能を高く維持できるようになる。
【００３０】
より具体的には、図９の実施形態では、図１０にも例示したように、沈み防止用突起部（８）は、受座部（４）の受座板部（４２）上の略中央位置にて開口（４２１）を囲んで取り付けられ、ネジ孔部（４１）および開口（４２１）と連通した開口（８１）を介してネジ脚部（３）が挿通可能となっている。
【００３１】
これにより、弾性防止材（５）の圧縮変形の許容範囲を超えて床材（２）を沈み込まされるような過荷重が働くとき、その許容範囲を超える前に沈み防止用突起部（８）の上端が床受け材（６）下面に当接するため（図９（ｂ）参照）、床材（２）の過剰な沈みを防ぐとともに弾性防振材（５）のへたりを防止でき、そして上記特許文献２および図１３に記載の従来の支持脚と比べて、防振防音効果の減少を阻止できるようになる。
【００３２】
ここで、沈み防止用突起部（８）は、ネジ脚部（３）が挿通可能な孔を有していることが好ましく、たとえば図９および図１０の実施形態では開口（８１）をこの孔として機能するものとすればよい。これにより、ネジ脚部（３）の沈み防止用突起部（８）に対する挿通状態を確保して、ネジ脚部（３）をより強く保持できるようになる。
【００３３】
［実施形態６］
なお、この沈み防止用突起部（８）については、たとえば図１１に例示したように、受座部（４）のネジ孔部（４１）を、受座部（４）の受座板部（４２）上に突出させ、その突出上端（４１１）が荷重時に床受け材（６）下面に当接することで、床材（２）の最大沈み量を制限する沈み防止用突起部（８）としても機能するものとしてもよい。この場合でも同様に、過荷重時の床材（２）の過剰な沈みの防止かつ弾性防振材（５）のへたりの防止とともに、防振防音性能の維持を実現することができる。
【００３４】
もちろん、この出願の発明は以上の実施形態に限定されるものではなく、細部については様々な態様が可能である。
【００３５】
【発明の効果】
以上詳しく説明したとおり、この出願の発明によって、二重床の高さ対応幅をより大きく確保することができ、また過荷重時の床材の過剰な沈みの防止かつ弾性防振材のへたりの防止を実現するとともに防振防音性能を高く維持することのできる、新しい二重床の支持脚が提供される。
【図面の簡単な説明】
【図１】（ａ）（ｂ）は各々この出願の発明の一実施形態を例示した断面図であり、（ａ）は降下状態、（ｂ）は上昇状態を例示している。
【図２】（ａ）（ｂ）は各々この出願の発明の別の一実施形態を例示した断面図であり、（ａ）は降下状態、（ｂ）は上昇状態を例示している。
【図３】図２の一実施形態を説明するための側面図である。
【図４】この出願の発明のまた別の一実施形態を例示した断面図である。
【図５】図４の一実施形態を説明するための図である。
【図６】この出願の発明のさらに別の一実施形態を例示した斜視図である。
【図７】図６の一実施形態を説明するための図である。
【図８】図６の一実施形態を説明するための分解斜視図である。
【図９】（ａ）（ｂ）は各々この出願の発明のまたさらに別の一実施形態を例示した側面図であり、（ａ）は脚部を縮めた状態、（ｂ）は伸ばした状態を例示している。
【図１０】図９の一実施形態を説明するための断面図である。
【図１１】沈み防止用突起部の一バリエーションを例示した断面図である。
【図１２】従来の二重床の支持脚を説明するための図である。
【図１３】従来の二重床の支持脚を説明するための図である。
【符号の説明】
１  スラブ
２  床材
２１  床下地材
２２  床仕上げ材
２３  孔
３  ネジ脚部
４  受座部
４１  ネジ孔部
４１１  突出上端
４２  受座板部
４２１  開口
４２２  取付孔
５  弾性防振材
５１  挿通空間
６  床受け材
６１  孔
６２  溝
６３  取付孔
７  台座部
８  沈み防止用突起部
８１  開口
９  根太
９１  孔
ア  脚部
イ  脚部本体
ウ  伸縮部
エ  床材
オ  床受け材
カ  弾性防振材
キ  枠体
ク  フランジ片
【図１】
2004162513.tif 000003
【図２】
2004162513.tif 000004
【図３】
2004162513.tif 000005
【図４】
2004162513.tif 000006
【図５】
2004162513.tif 000007
【図６】
2004162513.tif 000008
【図７】
2004162513.tif 000009
【図８】
2004162513.tif 000010
【図９】
2004162513.tif 000011
【図１０】
2004162513.tif 000012
【図１１】
2004162513.tif 000013
【図１２】
2004162513.tif 000014
【図１３】
2004162513.tif 000015